(57)【要約】【課題】筐体のベズルの表面において局所的な変形を生じさせることがなく、ベズルの表面の平坦性を確保することができる表示装置の筐体および表示装置を提供すること。【解決手段】画像表示器１４を収容するキャビネット２５と、表示画面の画像表示領域の周囲を囲んで表示画面に対して突き当てるためのベズル３０と、ベズル３０に固定されておりベズルの取付時の変形を防止するためにベズルとキャビネットの間に配置される介在部材６０とを備え、介在部材６０は、キャビネット側から取り付けられるネジの雄ネジ部をねじ込んでキャビネットに対してベズルを表示画面に対して突き当てた状態で固定するための雌ネジ部５１と、ネジの雄ネジ部を雌ネジ部にねじ込んだ状態で弾性変形してベズルの変形を防止するための弾性変形部９０とを有する。【選択図】　　　　図９
2004040478.tif 000002
【特許請求の範囲】
【請求項１】
画像を表示するための画像表示器を収容して、前記画像表示器の表示画面を露出するための開口部を有する表示装置の筐体であり、
前記画像表示器を収容するキャビネットと、
前記表示画面の画像表示領域の周囲を囲んで前記表示画面に対して突き当てるためのベズルと、
前記ベズルに固定されており、前記ベズルの取付時の変形を防止するために前記ベズルと前記キャビネットの間に配置される介在部材と、を備え、
前記介在部材は、
前記キャビネット側から取り付けられるネジの雄ネジ部をねじ込んで前記キャビネットに対して前記ベズルを前記表示画面に対して突き当てた状態で固定するための雌ネジ部と、
前記ネジの前記雄ネジ部を前記雌ネジ部にねじ込んだ状態で弾性変形して前記ベズルの変形を防止するための弾性変形部と、を有することを特徴とする表示装置の筐体。
【請求項２】
前記介在部材の前記弾性変形部の一端部には、前記雌ネジ部が設けられ、前記介在部材の前記弾性変形部の他端部には、前記ベズルの前記表示画面側の内面に対して接着するための接着部が設けられている請求項１に記載の表示装置の筐体。
【請求項３】
前記介在部材の弾性変形部は、ヒンジ構造を有する請求項２に記載の表示装置の筐体。
【請求項４】
前記画像表示器は、陰極線管である請求項１に記載の表示装置の筐体。
【請求項５】
前記ベズルの前記表示画面側の内面には、前記内面と前記表示画面の密着を行なうための密着材が設けられている請求項１に記載の表示装置の筐体。
【請求項６】
筐体が画像を表示するための画像表示器を収容しており、前記画像表示器の表示画面を露出するための開口部を有する表示装置であり、
前記筐体は、
前記画像表示器を収容するキャビネットと、
前記表示画面の画像表示領域の周囲を囲んで前記表示画面に対して突き当てるためのベズルと、
前記ベズルに固定されており、前記ベズルの取付時の変形を防止するために前記ベズルと前記キャビネットの間に配置される介在部材と、を備え、
前記介在部材は、
前記キャビネット側から取り付けられるネジの雄ネジ部をねじ込んで前記キャビネットに対して前記ベズルを前記表示画面に対して突き当てた状態で固定するための雌ネジ部と、
前記ネジの前記雄ネジ部を前記雌ネジ部にねじ込んだ状態で弾性変形して前記ベズルの変形を防止するための弾性変形部と、を有することを特徴とする表示装置。
【請求項７】
前記介在部材の前記弾性変形部の一端部には、前記雌ネジ部が設けられ、前記介在部材の前記弾性変形部の他端部には、前記ベズルの前記表示画面側の内面に対して接着するための接着部が設けられている請求項６に記載の表示装置。
【請求項８】
前記介在部材の弾性変形部は、ヒンジ構造を有する請求項７に記載の表示装置。
【請求項９】
前記画像表示器は、陰極線管である請求項６に記載の表示装置。
【請求項１０】
前記ベズルの前記表示画面側の内面には、前記内面と前記表示画面の密着を行なうための密着材が設けられている請求項６に記載の表示装置。
【発明の詳細な説明】
【０００１】
【発明の属する技術分野】
本発明は、画像を表示するための画像表示器を収容して、画像表示器の表示画面を露出するための開口部を有する表示装置の筐体および筐体を有する表示装置に関するものである。
【０００２】
【従来の技術】
画像を表示するための表示装置としては、画像表示器としての陰極線管を有するテレビジョン受像機が知られている。
テレビジョン受像機は、陰極線管を収容する筐体を有しており、この筐体は陰極線管の表示画面を露出するための開口部を有している。図１２はテレビジョン受像機の筐体１０００の陰極線管１００３の一部を示している。陰極線管（ブラウン管ともいう）は、表示画面１００４を有している。
筐体１０００は、キャビネット１０１０とベズル１０２０を有している。キャビネット１０１０の前側には、このベズル１０２０が複数本のネジ１０２４を用いて、固定されている。
【０００３】
ベズル１０２０とキャビネット１０１０はプラスチックにより作られており、ベズル１０２０は、陰極線管１００３の表示画面１００４の画像表示領域の周囲１０３０に対して突き当てることにより、破線の状態から実線の状態で示すように弾性変形している。
ネジ１０２４の雄ネジ部１０５０は、ベズル１０２０の雌ネジ部１０４０に対してねじ込まれて取り付けられている。ベズル１０２０の先端部分１０４３は、この雌ネジ部１０４０を中心として、Ｒ方向に弾性変形している。
このように、ネジ１０２４の雄ネジ部１０５０は、キャビネット１０１０の穴１０５３を通した後に、ベズル１０２０の雌ネジ部１０４０に対してかみ合わせることにより、キャビネット１０１０の前側に対して四角形状の枠状のベズル１０２０を連結して固定している。
【０００４】
【発明が解決しようとする課題】
ところが、上述したベズル１０２０の構造では、次のような問題が生じている。
ベズル１０２０の先端部分１０４３が、表示画面１００４の周囲１０３０に対して突き当たることで、Ｒ方向に弾性変形するので、ベズル１０２０の雌ネジ部１０４０の付近の表面部分１０６０には、変形による体裁不良が生じてしまう。この表面部分１０６０の体裁不良としては、使用者がＴ方向、すなわち正面からベズル１０２０を見た場合に、ベズル１０２０の表面において凹部１０６１が生じているように見える。
このように、表面部分１０６０に体裁不良が生じるのは、雌ネジ部１０４０の部分が弾性変形できない構造であるためである。つまり、雌ネジ部１０４０の根元部分において、ベズル１０２０を固定する際の応力集中や変形が生じてしまい、ベズル１０２０の強度の低下やベズル１０２０の表面部分１０６０における凹部１０６１による体裁不良の問題が生じる。
【０００５】
そこで本発明は上記課題を解消し、筐体のベズルの表面において局所的な変形を生じさせることがなく、ベズルの表面の平坦性を確保することができる表示装置の筐体および表示装置を提供することを目的としている。
【０００６】
【課題を解決するための手段】
請求項１の発明は、画像を表示するための画像表示器を収容して、前記画像表示器の表示画面を露出するための開口部を有する表示装置の筐体であり、前記画像表示器を収容するキャビネットと、前記表示画面の画像表示領域の周囲を囲んで前記表示画面に対して突き当てるためのベズルと、前記ベズルに固定されており、前記ベズルの取付時の変形を防止するために前記ベズルと前記キャビネットの間に配置される介在部材と、を備え、前記介在部材は、前記キャビネット側から取り付けられるネジの雄ネジ部をねじ込んで前記キャビネットに対して前記ベズルを前記表示画面に対して突き当てた状態で固定するための雌ネジ部と、前記ネジの前記雄ネジ部を前記雌ネジ部にねじ込んだ状態で弾性変形して前記ベズルの変形を防止するための弾性変形部と、を有することを特徴とする表示装置の筐体である。
【０００７】
請求項１では、筐体のキャビネットは、画像表示器を収容している。筐体のベズルは、表示画面の画像表示領域の周囲を囲んで表示画面に対して突き当てるための部分である。
介在部材は、ベズルに固定されており、ベズルの取付時の変形を防止するためにベズルとキャビネットの間に配置される。
この介在部材の雌ネジ部は、キャビネット側から取り付けられるネジの雄ネジ部をねじ込んでキャビネットに対してベズルを表示画面に対して突き当てた状態で固定するための部分である。介在部材の弾性変形部は、ネジの雄ネジ部を雌ネジ部にねじ込んだ状態で弾性変形してベズルの変形を防止するための部分である。
これにより、ネジの雄ネジ部を雌ネジ部にねじ込んでベズルをキャビネットに対して固定した状態において、介在部材の弾性変形部が弾性変形することによりベズルの表面側には応力集中や局所的な変形を発生させずにベズルの表面の変形を防止することができる。このことからベズルの平坦性を極力確保でき、ベズルの体裁を向上できる。
【０００８】
請求項２の発明は、請求項１に記載の表示装置の筐体において、前記介在部材の前記弾性変形部の一端部には、前記雌ネジ部が設けられ、前記介在部材の前記弾性変形部の他端部には、前記ベズルの前記表示画面側の内面に対して接着するための接着部が設けられている。
【０００９】
請求項２では、介在部材の弾性変形部の一端部では、雄ネジ部が設けられている。介在部材の弾性変形部の他端部には、ベズルの表示画面側の内面に対して接着するための接着部が設けられている。
【００１０】
請求項３の発明は、請求項２に記載の表示装置の筐体において、前記介在部材の弾性変形部は、ヒンジ構造を有する。
【００１１】
請求項４の発明は、請求項１に記載の表示装置の筐体において、前記画像表示器は、陰極線管である。
【００１２】
請求項５の発明は、請求項１に記載の表示装置の筐体において、前記ベズルの前記表示画面側の内面には、前記内面と前記表示画面の密着を行なうための密着材が設けられている。
【００１３】
請求項６の発明は、筐体が画像を表示するための画像表示器を収容しており、前記画像表示器の表示画面を露出するための開口部を有する表示装置であり、前記筐体は、前記画像表示器を収容するキャビネットと、前記表示画面の画像表示領域の周囲を囲んで前記表示画面に対して突き当てるためのベズルと、前記ベズルに固定されており、前記ベズルの取付時の変形を防止するために前記ベズルと前記キャビネットの間に配置される介在部材と、を備え、前記介在部材は、前記キャビネット側から取り付けられるネジの雄ネジ部をねじ込んで前記キャビネットに対して前記ベズルを前記表示画面に対して突き当てた状態で固定するための雌ネジ部と、前記ネジの前記雄ネジ部を前記雌ネジ部にねじ込んだ状態で弾性変形して前記ベズルの変形を防止するための弾性変形部と、を有することを特徴とする表示装置である。
【００１４】
請求項６では、筐体のキャビネットは、画像表示器を収容している。筐体のベズルは、表示画面の画像表示領域の周囲を囲んで表示画面に対して突き当てるための部分である。
介在部材は、ベズルに固定されており、ベズルの取付時の変形を防止するためにベズルとキャビネットの間に配置される。
この介在部材の雌ネジ部は、キャビネット側から取り付けられるネジの雄ネジ部をねじ込んでキャビネットに対してベズルを表示画面に対して突き当てた状態で固定するための部分である。介在部材の弾性変形部は、ネジの雄ネジ部を雌ネジ部にねじ込んだ状態で弾性変形してベズルの変形を防止するための部分である。
これにより、ネジの雄ネジ部を雌ネジ部にねじ込んでベズルをキャビネットに対して固定した状態において、介在部材の弾性変形部が弾性変形することによりベズルの表面側には応力集中や局所的な変形を発生させずにベズルの表面の変形を防止することができる。このことからベズルの平坦性を極力確保でき、ベズルの体裁を向上できる。
【００１５】
請求項７の発明は、請求項６に記載の表示装置において、前記介在部材の前記弾性変形部の一端部には、前記雌ネジ部が設けられ、前記介在部材の前記弾性変形部の他端部には、前記ベズルの前記表示画面側の内面に対して接着するための接着部が設けられている。
【００１６】
請求項７では、介在部材の弾性変形部の一端部では、雄ネジ部が設けられている。介在部材の弾性変形部の他端部には、ベズルの表示画面側の内面に対して接着するための接着部が設けられている。
【００１７】
請求項８の発明は、請求項７に記載の表示装置において、前記介在部材の弾性変形部は、ヒンジ構造を有する。
【００１８】
請求項９の発明は、請求項６に記載の表示装置において、前記画像表示器は、陰極線管である。
【００１９】
請求項１０の発明は、請求項６に記載の表示装置において、前記ベズルの前記表示画面側の内面には、前記内面と前記表示画面の密着を行なうための密着材が設けられている。
【００２０】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
図１は、本発明の表示装置の好ましい実施の形態を示している。
図１に示す表示装置１０は、一例としてテレビジョン受像機を例に示している。このテレビジョン受像機１０は、陰極線管１４と筐体２０を有している。陰極線管１４は、表示画面２３を有しており、この表示画面２３はたとえばほぼ平坦な表示画面である。
筐体２０は、キャビネット２５とベズル３０を有している。キャビネット２５はリヤキャビネットとも呼び、ベズル３０はフロントキャビネットとも呼ぶ。
キャビネット２５とベズル３０は、たとえばプラスチック、具体的にはＰＳ（ポリスチレン）樹脂、ＡＢＳ（アクリロニトリル・ブタジエン・スチレン）樹脂により作られている。
【００２２】
図２は、図１のベズル３０を示す正面図である。図３は、ベズル３０の背面図である。
図２と図３において、ベズル３０は、開口部４０を有している。この開口部４０は、図１に示す表示画面２３を露出するための部分であり、画像表示領域２３Ａを囲んでいる。ベズル３０は上辺部４１、下辺部４２、右辺部４３および左辺部４４を有する長方形状の枠体である。
図３に示すようにベズル３０の内面側には、キャビネット２５に対してネジにより固定するために複数個の雌ネジ部５０が所定箇所に設けられている。
【００２３】
本発明の実施の形態では、図３に示すように、ベズル３０の内面側の上辺部４１の中央の位置に、介在部材６０がたとえば接着により固定されている。この介在部材６０は、弾性変形可能なプラスチック、たとえばＰＳ（ポリスチレン）樹脂、ＡＢＳ（アクリロニトリル・ブタジエン・スチレン）樹脂により作られている。
この介在部材６０には、たとえば二つの雌ネジ部５１が設けられている。
【００２４】
図４は、図３に示す介在部材６０の正面図であり、図５は介在部材６０の背面図であり、図６は介在部材６０の平面図である。
図４ないし図６に示す介在部材６０は、図２と図３に示すようにベズル３０の上辺部４１の内面側に対してたとえば接着により固定されている。この介在部材６０は、図９に示すようにキャビネット２５の前端部２５Ａ側に、ネジ７０を用いて固定する際に、ベズル３０の表面３０Ｆにおける局所的な変形を防止するために、介在部材６０はベズル３０とキャビネット２５の前端部２５Ａの間に配置される部材である。
図４に示すように介在部材６０は、ほぼ長い長方形状の部材であり、この介在部材６０は、雌ネジ部５１，５１と弾性変形部９０および基部９１を有している。この基部９１は、接着面９１Ａを有している。
【００２５】
図９は、ベズル３０が介在部材６０を介してキャビネット２５の前端部２５Ａに対してネジ７０により固定されている状態を示している。そして図９では陰極線管１４の表示画面２３の画像表示領域２３Ａの周囲２７に対して突き当てられている状態を示している。図１０は、そうではなくベズル３０の内側には、周囲２７が突き当てられていない状態であるいわゆる自由状態を示している。
【００２６】
図５と図６に示す基部９１の接着面９１Ａは、図９に示すようにベズル３０の上辺部４１の内面４１Ａに対して接着剤を介して接着されている。
図４においては、介在部材６０の基部９１が図９に示すベズル３０の上辺部４１の内面４１Ａに対して入れ子状態で入れられる入れ子範囲１００を２点鎖線により示している。
図４に示す二つの雌ネジ部５１と基部９１の間には、一対の弾性変形部９０が設けられている。
弾性変形部９０は、図７と図８に示すようにいわゆるヒンジ構造を有しており、図９に示すように弾性変形部９０の一端部９０Ａは、雌ネジ部５１の端部に対して連続して形成することで設けられている。弾性変形部９０の他端部９０Ｂは、基部９１の接着部９１Ａに対して連続して形成されている。
【００２７】
図９に示すようにキャビネット２５の前端部２５Ａには、取付部２５Ｂが設けられている。この取付部２５Ｂの穴２５Ｃには、ネジ７０の雄ネジ部７３が通るようになっている。このネジ７０の頭部７１にはこの取付部２５Ｂに突き当てられる。ネジ７０の雄ネジ部７３は、雌ネジ部５１の内周面の雌ネジに対してねじ込まれるようになっている。雌ネジ部５１は円筒状のボス形状を有している。
【００２８】
これにより、ネジ７０がこの取付部２５Ｂの穴２５Ｃに通された後に、ネジ７０の雄ネジ部７３がベズル３０の雌ネジ部５１にねじ込まれると、雌ネジ部５１はＸ方向に引き寄せられる。このように雌ネジ部５１がＸ方向に引き寄せられた場合でも、弾性変形部９０は、この雌ネジ部５１のＸ方向の移動を弾性変形することにより吸収する。
これによって、ベズル３０の表面３０Ｆ、特にベズル３０の雌ネジ部５１に対応する部分の表面領域においても、局所変形や応力集中が全く生じない。
【００２９】
このように雄ネジ部７３を雌ネジ部５１にねじ込むことにより、ベズル３０の突き当て部３９は図１０の自由状態から図９に示す破線から実線の状態にＲ方向に弾性変形することにより、突き当て部３９は、隙間なく陰極線管１４の周囲２７に対して突き当てて、周囲２７をオーバーラップして覆うことができる。
【００３０】
図７は、弾性変形部９０と雌ネジ部５１および基部９１等を示している。弾性変形部９０は、雌ネジ部５１の取付部５１Ｔに対してヒンジ構造１０７により接続されている。雌ネジ部５１の内面には雌ネジ５１Ｅが設けられている。この雌ネジ５１Ｅに対して図９に示す雄ネジ部７３がねじ込まれる。図１１は、ベズル３０の上辺部４１の断面形状例を示している。
【００３１】
図３に示すように、ベズル３０の上辺部４１、下辺部４２、右辺部４３、左辺部４４の縁に対して密着材１３０が貼り付けられている。この密着材１３０は、図１の表示画面２３の表面にベズル３０の突き当て部３９を突き当てて密着させるための部分である。これにより突き当て部３９と表示画面２３の間はさらに隙間なく密着させることができる。この密着材１３０は、たとえば長尺状の部材でありＰＳ（ポリスチレン）樹脂、ＡＢＳ（アクリロニトリル・ブタジエン・スチレン）樹脂を用いることができる。
【００３２】
本発明の実施の形態では、図９に示すようにキャビネット２５の前端部２５Ａとベズル３０の間に介在部材６０を介在させている。この介在部材６０の弾性変形部９０は、介在部材６０の雄ネジ部７３がＸ方向に取付時に強制的に移動させられたとしても、そのＸ方向の移動量を弾性変形することにより吸収することができる。この結果、ベズル３０の表面３０Ｆには局所的な変形や応力集中は発生しない。このようにベズル３０における局所的な変形や応力集中の発生を積極的にコントロールすることで、ベズル３０の表面３０Ｆの平坦性を確保してベズル３０の体裁を良好にすることができる。
【００３３】
本発明の実施の形態では、異なる部材であるキャビネット２５とベズル３０をネジ７０により連結して固定する場合に生じるベズル３０側の応力集中およびそれにともなう局所的な変形の発生を積極的になくすことができる。
【００３４】
図７と図８に示すヒンジ構造１０７は、雌ネジ部５１をネジ７０により締め付ける時に与える締め付けトルクにより雌ネジ部５１が分離してしまわないようにある程度の強度が必要になる。
本発明は上記実施の形態に限定されるものではない。
上述した実施の形態では、画像表示器としての一例として陰極線管を例に挙げている。しかしこれに限らず画像表示器としては、プラズマディスプレイ、液晶表示器、あるいはその他の種類の画像表示器であってももちろん構わない。
また、図３に示すように本発明の介在部材６０はベズル３０の上辺部４１側に取り付けられている。このように介在部材６０が上辺部４１に取り付けられているのは、上辺部４１の表面における局所的な変形が使用者から見て特に目立つからである。
しかし介在部材６０は、上辺部４１の内面のみならず、下辺部４２、右辺部４３および左辺部４４の一つまたは全部の箇所に配置するようにしてももちろん構わない。
【００３５】
【発明の効果】
以上説明したように、本発明によれば、筐体のベズルの表面において局所的な変形を生じさせることがなく、ベズルの表面の平坦性を確保することができる。
【図面の簡単な説明】
【図１】本発明の表示装置の好ましい実施の形態を示す斜視図。
【図２】図１の表示装置のベズルの正面図。
【図３】図１の表示装置のベズルの背面図。
【図４】介在部材の正面図。
【図５】介在部材の背面図。
【図６】介在部材の平面図。
【図７】介在部材の弾性変形部と雌ネジ部等を示す斜視図。
【図８】介在部材の弾性変形部と雌ネジ部等を示す正面図。
【図９】ベズルがキャビネットに対してネジと介在部材により取り付けられた状態を示し、ベズルが表示画面に突き当てられている様子を示す図。
【図１０】ベズルがキャビネットに対して取り付けられている状態を示す図。
【図１１】ベズルの断面構造を示す図。
【図１２】従来のベズルの取付構造を示す図。
【符号の説明】
１０・・・表示装置、１４・・・陰極線管（画像表示器の一例）、２０・・・筐体、２３・・・表示画面、２３Ａ・・・画像表示領域、２５・・・キャビネット、３０・・・ベズル、４０・・・ベズルの開口部、５１・・・雌ネジ部、６０・・・介在部材、９０・・・弾性変形部、９１・・・基部、９１Ａ・・・接着部、１０７・・・ヒンジ構造
【図１】
2004040478.tif 000003
【図２】
2004040478.tif 000004
【図３】
2004040478.tif 000005
【図４】
2004040478.tif 000006
【図５】
2004040478.tif 000007
【図６】
2004040478.tif 000008
【図７】
2004040478.tif 000009
【図８】
2004040478.tif 000010
【図９】
2004040478.tif 000011
【図１０】
2004040478.tif 000012
【図１１】
2004040478.tif 000013
【図１２】
2004040478.tif 000014